(57)【要約】 【課題】  アイコンなどのメニュー項目を重ねて表示していたとしてもそのメニュー項目に対する操作を向上させることのできる表示装置および表示方法を提供することを目的とする。【解決手段】  ユーザがタッチパネル式ディスプレイ１０１に対して任意の位置を所定時間以上長く接触（長押）していると、拡大表示要求取得部１０２は拡大表示要求であると判断する。メニュー項目移動座標決定部１０５は、押下座標と、メニュー項目座標取得部１０６により取得された各メニュー項目の座標とに基づいて、移動先座標を決定する。メニュー項目移動部１０７は、この移動先座標に向けて、タッチパネル式ディスプレイ上に表示されている各メニュー項目Ｍｉを移動させる。【選択図】  図１
2009294937.tif 000002
【特許請求の範囲】
【請求項１】
複数のメニュー項目を表示するとともに、当該メニュー項目に対する選択を受け付ける表示手段と、
前記表示手段において表示されている複数のメニュー項目を離間表示することの指示および離間処理のための基準位置を受け付ける受付手段と、
前記受付手段により受け付けられた基準位置に基づいて、前記表示手段において表示されている複数のメニュー項目を移動させる制御手段と
を備える表示装置。
【請求項２】
前記制御手段は、前記受付手段により受け付けられた基準位置と各メニュー項目との離間距離に基づいた数値に対して反比例した修正値を用いて、前記表示手段において表示されている前記各メニュー項目を移動させることを特徴とする請求項１に記載の表示装置。
【請求項３】
前記制御手段は、前記基準位置と各メニュー項目との間の離間距離が予め定めた規定値以上となるまで、移動処理を行うことを特徴とする請求項２に記載の表示装置。
【請求項４】
前記制御手段は、各メニュー項目と、当該各メニュー項目のそれぞれに最も近い最近傍メニュー項目との離間距離に基づいた数値に対して反比例した修正値を用いて、前記各メニュー項目を移動させることを特徴とする請求項１から３のいずれか１項に記載の表示装置。
【請求項５】
前記制御手段は、各メニュー項目と当該各メニュー項目に対応する各最近傍メニューとの間の離間距離が予め定めた規定値以上となるまで、移動処理を行うことを特徴とする請求項４に記載の表示装置。
【請求項６】
前記制御手段は、基準位置を基準位置ベクトルＣで表した場合、式（１）に基づいて各メニュー項目Ｍｉの移動先座標ベクトルを算出し、当該移動先座標ベクトルに基づいて移動処理を行うことを特徴とする請求項１に記載の表示装置。
【数１】
2009294937.tif 000007
【請求項７】
前記制御手段は、前記各メニュー項目を相互に離間させるよう表示させる際に、各メニュー項目をアニメーション処理により移動表示させることを特徴とする請求項１から６のいずれか１項に記載の表示装置。
【請求項８】
複数のメニュー項目を表示するとともに、当該メニュー項目に対する選択を受け付ける表示ステップと、
前記表示ステップにおいて表示されている複数のメニュー項目を離間表示することの指示および離間処理のための基準位置を受け付ける受付ステップと、
前記受付ステップにより受け付けられた基準位置に基づいて、前記表示手段において表示されている複数のメニュー項目を移動させる制御ステップと
を備える表示方法。
【発明の詳細な説明】
【技術分野】
【０００１】
本発明は、アイコン等のメニュー項目を表示する表示装置および表示方法に関する。
【背景技術】
【０００２】
アイコンを用いたメニュー表示をする装置が考えられており、例えば、下記特許文献１（特開２０００−８１９３８号公報）が挙げられる。この特許文献１には、アイコン同士の関連を考慮してアイコン同士を相互に所定距離だけ離間して配置することが記載されている。
【特許文献１】特開２０００−８１９３８号公報
【発明の開示】
【発明が解決しようとする課題】
【０００３】
しかしながら、特許文献１に記載の技術では、誤操作を完全には防止することができない。すなわち、アイコン同士が重ならないように所定距離だけ離間して配置しているものの、ユーザによっては、所定距離離間しているだけではその間隔が足りないと感じる場合もあり、操作性を困難とさせる。また、アイコンを大きく表示している場合には、アイコン同士の離間距離を所定距離以上とることが困難な場合も考えられ、その場合もやはり操作性を困難とさせる。
【０００４】
そこで、上述の課題を解決するために、本発明は、アイコンなどのメニュー項目を重ねて表示していたとしてもそのメニュー項目に対する操作を向上させることのできる表示装置および表示方法を提供することを目的とする。
【課題を解決するための手段】
【０００５】
上述の課題を解決するために、本発明の表示装置は、複数のメニュー項目を表示するとともに、当該メニュー項目に対する選択を受け付ける表示手段と、前記表示手段において表示されている複数のメニュー項目を離間表示することの指示および離間処理のための基準位置を受け付ける受付手段と、前記受付手段により受け付けられた基準位置に基づいて、前記表示手段において表示されている複数のメニュー項目を移動させる制御手段とを備えている。
【０００６】
また、本発明の表示方法は、複数のメニュー項目を表示するとともに、当該メニュー項目に対する選択を受け付ける表示ステップと、前記表示ステップにおいて表示されている複数のメニュー項目を離間表示することの指示および離間処理のための基準位置を受け付ける受付ステップと、前記受付ステップにより受け付けられた基準位置に基づいて、前記表示手段において表示されている複数のメニュー項目を移動させる制御ステップとを備えている。
【０００７】
この発明によれば、複数のメニュー項目を表示するとともに、当該メニュー項目に対する選択を受け付け、表示されている複数のメニュー項目を離間表示することの指示および離間対象の基準位置を受け付けると、受け付けられた基準位置に基づいて、表示されている複数のメニュー項目を移動させる。これにより、メニュー項目をユーザの指示により任意に移動させることができ、メニュー項目に対する操作性を向上させることができる。
【０００８】
また、本発明の表示装置において、前記制御手段は、前記受付手段により受け付けられた基準位置と各メニュー項目との離間距離に基づいた数値に対して反比例した修正値を用いて、前記表示手段において表示されている前記各メニュー項目を移動させることが好ましい。
【０００９】
この発明によれば、受け付けられた基準位置と各メニュー項目それぞれとの離間距離に基づいた数値に対して反比例した修正値を用いて、表示されている各メニュー項目を移動させる。よって、ユーザにより任意に決められた基準位置に基づいて各メニュー項目を、基準位置から遠ざかる方向に移動させることができ、メニュー項目に対する操作性を向上させることができる。
【００１０】
また、本発明の表示装置において、前記制御手段は、前記基準位置と各メニュー項目との間の離間距離が予め定めた規定値以上となるまで、移動処理を行うことが好ましい。
【００１１】
この発明によれば、離間距離が予め定めた規定値以上となるまで、各メニュー項目に対する移動処理を行うことで、メニュー項目相互の離間距離をある程度保証することができ、メニュー項目に対する操作性を向上させることができる。
【００１２】
また、本発明の表示装置において、前記制御手段は、各メニュー項目と、当該各メニュー項目のそれぞれに最も近い最近傍メニュー項目との離間距離に基づいた数値に対して反比例した修正値を用いて、前記各メニュー項目を移動させることが好ましい。
【００１３】
この発明によれば、各メニュー項目と、当該各メニュー項目のそれぞれに最も近い最近傍メニュー項目との離間距離に反比例した修正値を用いて、各メニュー項目を移動させる。これにより、メニュー項目相互の間で離間させることができ、メニュー項目に対する操作性を向上させることができる。
【００１４】
また、本発明の表示装置において、前記制御手段は、各メニュー項目と当該各メニュー項目に対応する各最近傍メニューとの間の離間距離が予め定めた規定値以上となるまで、移動処理を行うことが好ましい。
【００１５】
この発明によれば、各メニュー項目と対応する最近傍メニューとの間の離間距離が予め定めた規定値以上となるまで、移動処理を行うことで、メニュー項目相互の離間距離をある程度保証することができ、メニュー項目に対する操作性を向上させることができる。
【００１６】
また、本発明の表示装置において、前記制御手段は、後述の式（１）に基づいて各メニュー項目の移動先座標を算出することが好ましい。
【００１７】
また、本発明の表示装置において、前記制御手段は、前記各メニュー項目を相互に離間させるよう表示させる際に、各メニュー項目をアニメーション処理により移動表示させることが好ましい。
【００１８】
この発明によれば、各メニュー項目を相互に離間させるよう表示させる際に、各メニュー項目をアニメーション処理により移動表示させることで、ユーザにとってその移動軌跡を認識することができ、使い勝手のよい装置を実現することができる。
【発明の効果】
【００１９】
本発明は、メニュー項目をユーザの指示により任意に移動させることができ、メニュー項目に対する操作性を向上させることができる。
【発明を実施するための最良の形態】
【００２０】
添付図面を参照しながら本発明の実施形態を説明する。可能な場合には、同一の部分には同一の符号を付して、重複する説明を省略する。
【００２１】
図１は、本実施形態の移動機１００の機能を示すブロック図である。図１に示すとおり、この移動機１００は、タッチパネル式ディスプレイ１０１、拡大表示要求取得部１０２、押下座標取得部１０３、情報処理部１０４（メニュー項目移動座標決定部１０５を含む）、メニュー項目座標取得部１０６、メニュー項目移動部１０７、メニュー項目座標登録部１０８、およびメニュー項目座標テーブル１０９を含んで構成されている。なお、この移動機１００は、無線によるデータ通信機能をもった端末であって、携帯電話やＰＨＳ（Personal Handy-Phone System）、無線通信カードを備えたＰＤＡ（Personal Digital Assistant）などである。
【００２２】
この移動機１００は、図２に示されるハードウェア構成により実現される。図２は、移動機１００のハードウェア構成を示すブロック図である。図２は、移動機１００のハードウェア構成図である。図１に示される移動機１００は、物理的には、図２に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、ハードディスク等の補助記憶装置１７などを含むコンピュータシステムとして構成されている。図１において説明した各機能は、図２に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図１に示す機能ブロックに基づいて、各機能ブロックを説明する。
【００２３】
タッチパネル式ディスプレイ１０１は、アイコンなどのメニュー項目を表示するディスプレイであって、ユーザが指またはタッチペンなどを用いてその表面をタッチすることにより、メニュー項目の選択操作を行うことができる。このタッチパネル式ディスプレイ１０１は、ユーザによりタッチされた位置（座標）を認識し、その位置情報を各部分に出力するにより各種処理を実行させる。
【００２４】
拡大表示要求取得部１０２は、タッチパネル式ディスプレイ１０１に対してユーザにより拡大表示要求をしたこと取得する部分であり、例えばユーザが指を所定時間以上タッチパネル式ディスプレイ１０１に対して押下した場合（いわゆる長押状態を検知した場合）、拡大表示要求であると判断する。拡大表示要求取得部１０２は、拡大表示要求があったと判断すると、その押下された位置座標を取得するよう押下座標取得部１０３に指示を出力する。なお、拡大表示要求を行うようにするものであれば特に上述の方法に限定するものではなく、長押以外の、専用のボタンを押下した後にタッチすることで拡大表示要求とすることなど、様々な要求の仕方が考えられる。
【００２５】
押下座標取得部１０３は、拡大表示要求取得部１０２から押下された位置座標の取得指示を受けると、または、タッチパネル式ディスプレイ１０１において押下されると、タッチパネル式ディスプレイ１０１において押下された位置座標を取得する部分である。
【００２６】
情報処理部１０４は、押下座標取得部１０３により取得された位置座標に基づいた処理を行う部分であり、例えば、メニュー項目の種別を判断し、そのメニュー項目にあった処理（ブラウザを開く、メーラーを立ち上げるなど）を実行する部分である。
【００２７】
さらに、情報処理部１０４は、メニュー項目移動座標決定部１０５を含んでおり、このメニュー項目移動座標決定部１０５は、押下座標取得部１０３およびメニュー項目座標取得部１０６においてそれぞれ取得された位置座標に基づいて、メニュー項目を移動させる位置座標を決定する部分である。
【００２８】
より具体的には、メニュー項目移動座標決定部１０５は、各メニュー項目Ｍｉを選択し、このメニュー項目Ｍｉの座標ベクトルＭi,tと押下座標ベクトルＣとの距離Ｌi,ｔを算出する。また、メニュー項目移動座標決定部１０５は、時刻ｔにおいてメニュー項目Ｍｉに最も近い位置に配置されているメニュー項目Ｍｊを選択し、そのメニュー項目Ｍｉとメニュー項目Ｍｊとの距離Ｒi,ｊ,ｔを算出する。図３にその模式図を示す。図３は、時刻ｔにおける押下座標ベクトルＣ、同時刻である時刻ｔにおけるメニュー項目Ｍｉの座標ベクトルＭi,t、メニュー項目Ｍｉの最近傍であるメニュー項目Ｍｊの座標ベクトルＭj,t移動先である時刻ｔ＋１におけるメニュー項目Ｍｉの座標ベクトルＭi,t+1を示す模式図である。
【００２９】
この模式図で示すように、押下座標ベクトルＣとメニュー項目Ｍｉとの距離は、距離Ｌi,ｔで表されている。また、メニュー項目Ｍｉとその最近傍のメニュー項目Ｍｊとの距離は距離Ｒi,ｊ,ｔで表されている。これら情報を用いて、時刻ｔ＋１におけるメニュー項目Ｍｉの移動先座標ベクトルＭi,t+1を算出する。
【００３０】
具体的には、メニュー項目移動座標決定部１０５は、それぞれの距離Ｌi,ｔ、Ｒi,j,t以下の式（１）に当てはめて、移動先座標ベクトルＭi,t+1を算出する。なお、この式において、ｋは、任意の定数である。
【数１】
2009294937.tif 000003
【００３１】
また、この式（１）において、第一式におけるＬi,ｔ2、Ｒi,ｊ,ｔ2にかえて、Ｌi,ｔ、Ｒi,ｊ,ｔとしてもよい。すなわち、それぞれＬi,t、Ｒi,ｊ,tの２乗に反比例することに代えて、単に反比例させるようにしてもよい。例えば、以下の式（２）のとおりとしてもよい。また、式（１）における第一式において、第３項はなくてもよい。例えば、式（３）のとおりである。この場合、押下された座標から遠ざかる方向にのみメニューを移動させることになるが、演算量を削減することができ装置の処理負荷を低減することができる。さらに、式（１）における第一式において、第２項を省略した式としてもよい。例えば、以下の式（４）のとおりである。
【数２】
2009294937.tif 000004
【数３】
2009294937.tif 000005
【数４】
2009294937.tif 000006
【００３２】
上述の例では、メニュー項目の大きさを考慮していないが、メニュー項目であるアイコンを円形とした場合、距離Ｒi,j,tに代えて、距離Ｒi,j,t＋Ｒａｄｉｕｓ（Ｍｉ）＋Ｒａｄｉｕｓ（Ｍｊ）としてもよい。なお、Ｒａｄｉｕｓ（ｘ）は、アイコンｘの半径を示す。さらに、各メニュー項目の離間距離は、離間距離＞Ｒａｄｉｕｓ（Ｍｉ）＋Ｒａｄｉｕｓ（Ｍｊ）を条件としてもよく、この距離を満たさない場合には、再度、移動先の座標に基づいて再計算してもよい。また、この条件に限定するものではなく、予め設定された値を条件としてもよい。
【００３３】
また、メニュー項目は円で表示するものに限定せず、その他の図形で表示しても良い。その場合、Ｒａｄｉｕｓ（ｘ）に代えて単にアイコンの大きさを示す任意の数値（アイコンが四角形であれば、対角線の長さなど）に代替してもよい。
【００３４】
そして、メニュー項目移動座標決定部１０５は、各メニュー項目Ｍｉ（ｉは１〜ｎ）、すなわちメニュー項目Ｍ１からＭｎまで順に行い（ｎはメニュー項目の総数と同値である）、各メニュー項目の移動先座標ベクトルＭi,t+1を決定する。
【００３５】
メニュー項目座標取得部１０６は、メニュー項目座標テーブル１０９から各メニュー項目の座標を取得する部分である。メニュー項目移動座標決定部１０５は、メニュー項目座標取得部１０６から取得された座標に基づいて、上述の通りメニュー項目の移動先を決定することができる。
【００３６】
メニュー項目移動部１０７は、メニュー項目移動座標決定部１０５により決定された、メニュー項目Ｍｉごとに算出された移動先座標ベクトルＭi,t+1を移動先として、タッチパネル式ディスプレイ１０１に表示されている各メニュー項目Ｍｉを移動させる部分である。なお、このメニュー項目移動部１０７は、アニメーション処理によりメニュー項目の移動軌跡が分かるように移動処理を行う。メニュー項目移動部１０７が移動処理を行った後に、上述の通り離間距離が所定値に満たしていない場合には、再度メニュー項目移動座標決定部１０５において再度離間距離の計算処理がなされる。
【００３７】
メニュー項目座標登録部１０８は、メニュー項目移動部１０７において移動された移動先座標をメニュー項目座標テーブル１０９に記憶させる部分である。
【００３８】
メニュー項目座標テーブル１０９は、現時点における各メニュー項目の座標を記憶する部分である。例えば、メニュー項目座標テーブル１０９は、図４に示されている各種情報を記憶する。図４は、メニュー項目座標テーブル１０９の具体例を示す説明図である。図４に示されているように、メニューＩＤおよびメニュー座標が対応付けて記憶されている。メニューＩＤは、メニュー項目を特定する情報である。
【００３９】
このように構成された移動機１００の動作について説明する。図５は、本実施形態の移動機１００の動作を示すフローチャートである。図５に示すように、拡大表示要求取得部１０２により拡大表示要求の有無が判断される（Ｓ１０１）。例えば、ユーザがタッチパネル式ディスプレイ１０１の任意の位置を長押状態とした場合、拡大表示要求が有りと判断される。
【００４０】
そして、拡大表示要求有りと判断されると、押下座標取得部１０３により長押された位置の押下座標ベクトルＣが取得され（Ｓ１０２）、メニュー項目座標取得部１０６により、メニュー項目座標テーブル１０９から全メニュー項目Ｍｉの座標ベクトルＭi,tが取得される（Ｓ１０３）。そして、メニュー項目移動座標決定部１０５により、これら取得された押下座標ベクトルＣおよび座標ベクトルＭi,tを用いて、単位時間後の移動先座標ベクトルＭi,t+1が算出される（Ｓ１０４）。
【００４１】
つぎに、移動先座標ベクトルＭi,t+1が算出されると、メニュー項目移動部１０７によりタッチパネル式ディスプレイ１０１に表示されているメニュー項目の移動処理が行われる（Ｓ１０５）。この移動処理とともに、メニュー項目座標テーブル１０９に移動先座標ベクトルＭi,t+1が登録される（Ｓ１０６）。
【００４２】
ここで、各メニュー項目間（メニュー項目ＭｉとＭｊ）またはメニュー項目Ｍｉと押下座標ベクトルＣとの離間距離が所定値以上であるか否かが、メニュー項目移動座標決定部１０５により判断される（Ｓ１０７）。例えば、各メニュー項目の離間距離＞Ｒａｄｉｕｓ（Ｍｉ）＋Ｒａｄｉｕｓ（Ｍｊ）を条件とする。そして、各メニュー項目間（メニュー項目ＭｉとＭｊ）またはメニュー項目Ｍｉと押下座標ベクトルＣとの離間距離が所定値以上ではないと判断されると、移動先座標ベクトルＭi,t+1を座標ベクトルＭi,tとして再度移動先座標の計算処理が実行される（Ｓ１０３−Ｓ１０４）。
【００４３】
また、所定値以上であると判断されると、拡大表示要求が終了したか否かが判断される（Ｓ１０８）。すなわち、ユーザによるタッチパネル式ディスプレイ１０１に対する長押状態が終了したか否かが判断される。ここで、まだユーザによる長押状態が完了していないと判断されると、再度Ｓ１０３に戻り、離間処理が行われる（Ｓ１０３−１０６）。
【００４４】
このような処理に基づいて処理されたメニュー項目が表示された様子を示す模式図を図６に示す。図６に示されるように、メニュー項目Ｍ１〜Ｍ１１が円を囲むようにタッチパネル式ディスプレイ１０１に表示されている。ここでユーザが、その中心部分である押下位置Ｃ１を押下すると（図６（ａ））、その押下位置Ｃ１に従って、各メニュー項目Ｍ１〜Ｍ１１が離間するようにメニュー項目移動座標決定部１０５が各メニュー項目の移動先座標を算出し、メニュー項目移動部１０７が移動処理を実行する（図６（ｂ））。
【００４５】
つぎに、本実施形態の移動機１００の作用効果について説明する。本実施形態の移動機１００において、タッチパネル式ディスプレイ１０１は、複数のメニュー項目を表示するとともに、当該メニュー項目に対する選択、すなわちユーザによるアイコン等のメニュー項目に対する接触操作を受け付ける。そして、ユーザがタッチパネル式ディスプレイ１０１に対して任意の位置を所定時間以上長く接触（長押）していると、拡大表示要求取得部１０２は拡大表示要求であると判断する。
【００４６】
つぎに、押下座標取得部１０３は、接触した位置を押下座標としてタッチパネル式ディスプレイ１０１から取得する。メニュー項目移動座標決定部１０５は、押下座標と、メニュー項目座標取得部１０６により取得された各メニュー項目の座標とに基づいて、移動先座標を決定する。例えば、メニュー項目移動座標決定部１０５は、押下座標ベクトルＣと各メニュー項目の座標ベクトルＭi,tとに基づいて移動先座標ベクトルＭｉ,ｔ+１を算出する。メニュー項目移動部１０７は、この移動先座標ベクトルＭi,t+1に向けて、タッチパネル式ディスプレイ上に表示されている各メニュー項目Ｍｉを移動させることで、受け付けられた押下座標ベクトルＣに基づいて、表示されている複数のメニュー項目Ｍｉを相互に離間させる。これにより、メニュー項目をユーザの指示により任意に離間させることができ、メニュー項目に対する操作性を向上させることができる。
【００４７】
また、本実施形態の移動機１００において、メニュー項目移動座標決定部１０５は、タッチパネル式ディスプレイ１０１において受け付けられた押下座標ベクトルＣと各メニュー項目Ｍｉ(座標ベクトルＭi,t)それぞれとの距離Ｌi,tの二乗に対して反比例した修正値（例えばｋ／Ｌi,t２・（Ｍi,t−Ｃ）／｜Ｍi,t−Ｃ｜）を用いて、メニュー項目移動部１０７は、タッチパネル式ディスプレイ１０１に表示されている各メニュー項目Ｍｉを移動させる。よって、ユーザにより任意に決められた基準位置に基づいて各メニュー項目を、基準位置から遠ざかる方向に移動させることができ、メニュー項目に対する操作性を向上させることができる。
【００４８】
このとき、各メニュー項目Ｍｉと基準位置（押下座標ベクトルＣ）との離間距離Ｌi,tが予め定めた規定値以上となるまで、各メニュー項目に対する移動処理を行うことで、メニュー項目相互の離間距離をある程度確保することができ、メニュー項目に対する操作性を向上させることができる。
【００４９】
また、本実施形態の移動機１００は、各メニュー項目Ｍｉと、当該各メニュー項目Ｍｉのそれぞれに最も近い最近傍メニュー項目Ｍｊとの離間距離Ｒi,tに反比例した修正値（例えば、ｋ／Ｒ２i,t・（Ｍi,t−Ｍi,j,t）／｜Ｍi,t−Ｍi,j,t｜）を用いて、各メニュー項目Ｍｉを移動させる。これにより、メニュー項目相互の間で離間させることができ、メニュー項目に対する操作性を向上させることができる。
【００５０】
このとき、各メニュー項目Ｍｉと対応する最近傍メニュー項目Ｍｊとの間の離間距離Ｒi,tが予め定めた規定値以上となるまで、移動処理を行うことで、メニュー項目相互の離間距離をある程度保証することができ、メニュー項目に対する操作性を向上させることができる。
【００５１】
また、本実施形態の移動機１００は、各メニュー項目Ｍｉを相互に離間させるよう表示させる際に、各メニュー項目Ｍｉをアニメーション処理により移動表示させることで、ユーザにとってその移動軌跡を認識することができ、使い勝手のよい装置を実現することができる。
【図面の簡単な説明】
【００５２】
【図１】本実施形態の移動機１００の機能を示すブロック図である。
【図２】移動機１００のハードウェア構成を示すブロック図である。
【図３】メニュー項目Ｍｉの移動処理の概念を示す模式図である。
【図４】メニュー項目座標テーブル１０９の具体例を示す説明図である。
【図５】本実施形態の移動機１００の動作を示すフローチャートである。
【図６】メニュー項目の移動状態を示す模式図である。
【符号の説明】
【００５３】
１００…移動機、１０１…タッチパネル式ディスプレイ、１０２…拡大表示要求取得部、１０３…押下座標取得部、１０４…情報処理部、１０５…メニュー項目移動座標決定部、１０６…メニュー項目座標取得部、１０７…メニュー項目移動部、１０８…メニュー項目座標登録部、１０９…メニュー項目座標テーブル。
【図１】
2009294937.tif 000008
【図２】
2009294937.tif 000009
【図３】
2009294937.tif 000010
【図４】
2009294937.tif 000011
【図５】
2009294937.tif 000012
【図６】
2009294937.tif 000013